(57)【要約】【課題】  電流モードバスインターフェースシステム、そのためのモード転換方法、並びにモード制御信号発生回路を提供する。【解決手段】  電流モードバスインターフェースシステムは、電流モードホストインターフェース装置から基準電流、クロック電流、及びデータ電流を送信し、電流モードクライアントインターフェース装置から基準電流、クロック電流、及びデータ電流を受信する。電流モードバスインターフェースシステムは、クライアントからホストへの逆方向データ伝送も可能である。電流モードバスインターフェースシステムのモード転換方法はホストが送信電流を遮断し、クライアントが送信電流の遮断を感知することによって、正常モードからサスペンドモードに転換する。サスペンドモードから正常モードへの転換はホスト又はクライアントのウェイクアップリクエストによって行われる。【選択図】    図１
2006254422.tif 000002
【特許請求の範囲】
【請求項１】
基準電流及びクロック電流を送信し、正方向伝送モード時にデータ電流を送信し、逆方向伝送モード時に逆方向データ電流を受信し、前記逆方向データ電流を前記基準電流と比較して逆方向データ電圧を生成する電流モードホストインターフェース装置と、
前記基準電流及び前記クロック電流を受信し、前記基準電流及び前記クロック電流を比較してクロック電圧を生成し、前記正方向伝送モード時に前記データ電流を受信し、前記データ電流を前記受信された基準電流と比較してデータ電圧を生成し、前記逆方向伝送モード時に前記逆方向データ電流を前記データ電流が受信される導線を介して送信する電流モードクライアントインターフェース装置と、を含むことを特徴とする電流モードバスインターフェースシステム。
【請求項２】
前記電流モードホストインターフェース装置は、
前記基準電流を送信する基準電流送信部と、
前記クロック電流を送信するクロック電流送信部と、
前記正方向伝送モード時に前記データ電流を送信し、前記逆方向電流モード時に前記逆方向データ電流を受信し、前記基準電流及び前記逆方向データ電流を比較して前記逆方向データ電圧を生成するデータ送受信部と、を含むことを特徴とする請求項１記載の電流モードバスインターフェースシステム。
【請求項３】
前記電流モードホストインターフェース装置は、
スリープリクエストによって前記基準電流、クロック電流、及びデータ電流を遮断して、サスペンドモードに移行することを特徴とする請求項２記載の電流モードバスインターフェースシステム。
【請求項４】
前記電流モードホストインターフェース装置は、
前記サスペンドモードに移行した後にウェイクアップリクエストが発生するか、前記逆方向データ電流が所定のレベルで受信されることを感知して正常動作モードに転換することを特徴とする請求項３記載の電流モードバスインターフェースシステム。
【請求項５】
前記電流モードホストインターフェース装置は、
サスペンドモードから正常動作モードに転換する時に、まず前記基準電流を伝送し、前記電流モードクライアントインターフェース装置が正常動作モードに転換した後に前記クロック電流及びデータ電流を伝送することを特徴とする請求項４記載の電流モードバスインターフェースシステム。
【請求項６】
前記電流モードクライアントインターフェース装置は、
前記基準電流及びクロック電流を受信し、前記基準電流及びクロック電流を比較して前記クロック電圧を生成するクロック電圧生成部と、
前記正方向伝送モード時に前記データ電流を受信し、前記基準電流及び前記データ電流を比較して前記データ電圧を生成し、前記逆方向電流モード時に前記データ電流を受信した導線を介して前記逆方向データ電流を送信するデータ送受信部と、を含むことを特徴とする請求項１記載の電流モードバスインターフェースシステム。
【請求項７】
前記電流モードクライアントインターフェース装置は、
前記基準電流を感知して電流モードクライアントインターフェース装置のモード制御信号を生成するモード制御信号発生回路を更に含むことを特徴とする請求項６記載の電流モードバスインターフェースシステム。
【請求項８】
前記モード制御信号発生回路は、
前記基準電流を複製して、複製された基準電流を生成する基準電流複製部と、
前記基準電流より小さい大きさの比較電流を生成する比較電流生成部と、
前記複製された基準電流及び前記比較電流を比較して比較信号を生成する電流比較部と、
前記比較信号に含まれる雑音成分を除去して前記モード制御信号を生成する雑音除去部と、を含むことを特徴とする請求項７記載の電流モードバスインターフェースシステム。
【請求項９】
前記比較電流は、デジタル値として保存された前記基準電流を利用して生成されることを特徴とする請求項８記載の電流モードバスインターフェースシステム。
【請求項１０】
前記比較電流生成部は、前記基準電流が流れる場合に前記比較電流を流し、前記基準電流が流れない場合に前記比較電流が消費されないようにすることを特徴とする請求項９記載の電流モードバスインターフェースシステム。
【請求項１１】
前記電流モードクライアントインターフェース装置は、
前記モード制御信号発生回路を介して前記基準電流の遮断を感知し、前記基準電流の遮断が感知されると、サスペンドモードに移行することを特徴とする請求項１０記載の電流モードバスインターフェースシステム。
【請求項１２】
前記電流モードクライアント装置は、内部のウェイクアップリクエストによって所定のレベルの前記逆方向データ電流を伝送することを特徴とする請求項１１記載の電流モードバスインターフェースシステム。
【請求項１３】
基準電流を送信する基準電流送信部と、
一定の周期に変わるクロック電流を送信するクロック電流送信部と、
正方向伝送モード時にデータ電流を送信し、逆方向電流モード時に前記データ電流を送信した導線を介して逆方向データ電流を受信し、前記基準電流及び前記逆方向データ電流を比較して逆方向データ電圧を生成するデータ送受信部と、を含むことを特徴とする電流モードホストインターフェース装置。
【請求項１４】
前記クロック電流送信部は、
前記基準電流の約１／２の大きさの低電流を提供する低電流源と、
前記基準電流と実質的に同じ大きさの差電流を提供する差電流源と、
クロック制御信号によって前記低電流又は前記低電流と前記差電流とを足した電流を前記クロック電流に送信するためのクロック制御スイッチと、を含むことを特徴とする請求項１３記載の電流モードホストインターフェース装置。
【請求項１５】
前記データ送受信部は、
前記正方向伝送モード時には閉まり、前記逆方向伝送モード時には開く第１スイッチと、
前記第１スイッチと逆に動作する第２スイッチと、
前記正方向伝送モード時に、前記第１スイッチを介して前記データ電流を送信するデータ電流送信部と、
前記逆方向伝送モード時に、前記第２スイッチを介して前記逆方向データ電流を受信して前記逆方向データ電圧を生成するデータ電流受信部と、を含むことを特徴とする請求項１３記載の電流モードホストインターフェース装置。
【請求項１６】
前記データ電流送信部は、
前記基準電流の約１／２の大きさの低電流を提供する低電流源と、
前記基準電流と実質的に同じ大きさの差電流を提供する差電流源と、
データ制御信号によって前記低電流又は前記低電流と前記差電流とを足した電流を前記データ電流に送信するためのデータ制御スイッチと、を含むことを特徴とする請求項１５記載の電流モードホストインターフェース装置。
【請求項１７】
前記データ電流受信部は、
前記基準電流を複製して、複製された基準電流を生成する基準電流複製部と、
前記逆方向データ電流を複製して、複製された逆方向データ電流を生成する逆方向データ電流複製部と、
前記複製された基準電流及び複製された逆方向データ電流を比較して前記逆方向データ電圧を生成する電流比較部と、を含むことを特徴とする請求項１６記載の電流モードホストインターフェース装置。
【請求項１８】
基準電流及び一定の周期に変わるクロック電流を受信し、前記基準電流及びクロック電流を比較してクロック電圧を生成するクロック電圧生成部と、
正方向伝送モード時にデータ電流を受信し、前記基準電流及び前記データ電流を比較してデータ電圧を生成し、逆方向電流モード時に前記データ電流を受信した導線を介して逆方向データ電流を送信するデータ送受信部と、を含むことを特徴とする電流モードクライアントインターフェース装置。
【請求項１９】
前記電流モードクライアントインターフェース装置は、
前記基準電流を感知して電流モードクライアントインターフェース装置のモード制御信号を生成するモード制御信号発生回路を更に含むことを特徴とする請求項１８記載の電流モードクライアントインターフェース装置。
【請求項２０】
前記クロック電圧生成部は、
前記基準電流を複製して、複製された基準電流を生成する基準電流複製部と、
前記クロック電流を複製して、複製されたクロック電流を生成するクロック電流複製部と、
前記複製された基準電流及び複製されたクロック電流を比較して前記クロック電圧を生成する電流比較部と、を含むことを特徴とする請求項１８記載の電流モードクライアントインターフェース装置。
【請求項２１】
前記データ送受信部は、
前記正方向伝送モード時には閉まり、前記逆方向伝送モード時には開く第１スイッチと、
前記第１スイッチと逆に動作する第２スイッチと、
前記正方向伝送モード時に、前記第１スイッチを介して前記データ電流を受信し、前記受信されたデータ電流を前記基準電流と比較して前記データ電圧を生成するデータ電流受信部と、
前記逆方向伝送モード時に、前記第２スイッチを介して前記逆方向データ電流を送信するデータ電流送信部と、を含むことを特徴とする請求項１８記載の電流モードクライアントインターフェース装置。
【請求項２２】
前記データ電流受信部は、
前記基準電流を複製して、複製された基準電流を生成する基準電流複製部と、
前記データ電流を複製して、複製されたデータ電流を生成するデータ電流複製部と、
前記複製された基準電流及び複製されたデータ電流を比較して前記データ電圧を生成する電流比較部と、を含むことを特徴とする請求項２１記載の電流モードクライアントインターフェース装置。
【請求項２３】
前記データ電流送信部は、
前記基準電流の約１／２の大きさの低電流を提供する低電流源と、
前記基準電流と実質的に同じ大きさの差電流を提供する差電流源と、
逆方向データ制御信号によって前記低電流又は前記低電流と前記差電流とを足した電流を前記逆方向データ電流に送信するためのデータ制御スイッチと、を含むことを特徴とする請求項２２記載の電流モードクライアントインターフェース装置。
【請求項２４】
前記電流モードクライアントインターフェース装置は、
前記基準電流をデジタルコード値として保存し、前記デジタルコード値として保存された基準電流を利用して、前記低電流及び差電流を生成することを特徴とする請求項２３記載の電流モードクライアントインターフェース装置。
【請求項２５】
ホストのスリープリクエストによって前記ホストがサスペンドモードに進入して前記ホストから伝送される送信電流を遮断する段階と、
クライアントが前記送信電流が遮断されることを感知して前記クライアントがサスペンドモードに移行する段階と、
前記ホスト又は前記クライアントのウェイクアップリクエストによって前記ホスト及びクライアントがサスペンドモードから正常動作モードに転換する段階と、を含むことを特徴とする電流モードバスインターフェースシステムのモード転換方法。
【請求項２６】
前記送信電流は、基準電流、クロック電流、及びデータ電流を含み、
前記クライアントが前記基準電流が遮断されることを感知して、前記クライアントが前記サスペンドモードに移行することを特徴とする請求項２５記載の電流モードバスインターフェースシステムのモード転換方法。
【請求項２７】
前記正常動作モードに転換する段階は、
前記ホストのウェイクアップリクエストによって前記ホストが前記基準電流を送信する段階を含み、
前記クライアントが前記基準電流が送信されることを感知してサスペンドモードから正常動作モードに転換することを特徴とする請求項２６記載の電流モードバスインターフェースシステムのモード転換方法。
【請求項２８】
前記クライアントが正常動作モードに転換した後に、前記ホストが前記クロック電流及びデータ電流を送信することを特徴とする請求項２７記載の電流モードバスインターフェースシステムのモード転換方法。
【請求項２９】
前記正常動作モードに転換する段階は、
前記クライアントのウェイクアップリクエストによって前記クライアントが所定レベルの逆方向データ電流を送信する段階と、
前記ホストが前記逆方向データ電流を感知して前記基準電流を送信する段階と、を含み、
前記クライアントが前記基準電流が送信されることを感知して、サスペンドモードから正常動作モードに転換することを特徴とする請求項２６記載の電流モードバスインターフェースシステムのモード転換方法。
【請求項３０】
前記クライアントが正常動作モードに転換した後に、前記ホストが前記クロック電流及びデータ電流を送信することを特徴とする請求項２９記載の電流モードバスインターフェースシステムのモード転換方法。
【請求項３１】
前記正常動作モードに転換する段階は、
前記ホストのウェイクアップリクエストによって前記ホストが前記基準電流を送信する段階と、
前記クライアントのウェイクアップリクエストによって前記クライアントが前記データ電流が受信される導線を介して逆方向データ電流を送信する段階と、
前記クライアントが前記基準電流が送信されることを感知して、前記逆方向データ電流を送信することを停止し、サスペンドモードから正方向伝送モードに転換する段階と、を含むことを特徴とする請求項２６記載の電流モードバスインターフェースシステムのモード転換方法。
【請求項３２】
前記クライアントが前記逆方向データ電流を送信することを停止して正方向伝送モードに転換した後に、前記ホストが前記クロック電流及びデータ電流を送信することを特徴とする請求項３１記載の電流モードバスインターフェースシステムのモード転換方法。
【請求項３３】
受信電流を複製して、複製された受信電流を生成する受信電流複製部と、
前記受信電流より小さい大きさの比較電流を生成する比較電流生成部と、
前記複製された受信電流及び前記比較電流を比較して比較信号を生成する電流比較部と、
前記比較信号に含まれる雑音成分を除去して、電流モードバスインターフェースシステムのモード制御信号を生成する雑音除去部と、を含むことを特徴とする電流モードバスインターフェースシステムのモード制御信号発生回路。
【請求項３４】
前記雑音除去部は、
前記比較信号に含まれた所定の電圧レベルより電圧レベルが小さい雑音成分を除去するためのシュミットトリガ回路と、
前記比較信号に含まれた短いパルス区間の雑音成分を除去するための雑音消去回路と、を含むことを特徴とする請求項３３記載の電流モードバスインターフェースシステムのモード制御信号発生回路。
【請求項３５】
前記雑音消去回路は、
ＣＭＯＳインバータを利用して実現されることを特徴とする請求項３４記載の電流モードバスインターフェースシステムのモード制御信号発生回路。
【請求項３６】
前記雑音消去回路は、
前記比較信号を遅延して、遅延された比較信号を生成する遅延端と、
前記比較信号及び前記遅延された比較信号を論理積演算する論理積ゲートと、を含むことを特徴とする請求項３４記載の電流モードバスインターフェースシステムのモード制御信号発生回路。
【発明の詳細な説明】
【技術分野】
【０００１】
本発明はバスインターフェースシステムに係り、より詳細には、電流を通じてデータを送受信する電流モードバスインターフェースシステムに関する。
【背景技術】
【０００２】
一般に、集積回路の間で信号を送受信するために、電圧モード送受信又は電流モード送受信を行う。電圧モード送受信は、抵抗−キャパシタ遅延等の問題点を有しており、これを改善するために電流モード送受信が研究されてきた。
【０００３】
電流モード送受信は、送受信される信号の電流に注目する。電流モード送受信は、伝送ラインの電圧は大きく変わらないようにし、伝送ラインを通じて流れる電流のレベルを変化させてデータを伝送する。
【０００４】
例えば、送信機は１７ｍＡ〜２３ｍＡを論理「１」に、０ｍＡ〜６ｍＡを論理「０」に設定して、順次なデジタルデータを送信することができる。この際、受信機は送信される信号の電流レベルを判断して、送信されたデジタルデータを復元することができる。電流モード送受信の時には電圧が大きく変わらないので、抵抗−キャパシタ遅延が深刻な問題にならない。
【０００５】
電流モード送受信において、送信機側で基準電流を共に伝送する場合がある。例えば、送信機は１７ｍＡ〜２３ｍＡを論理「１」に、０ｍＡ〜６ｍＡを論理「０」に設定してデータ電流を送信すると共に、約１０ｍＡの基準電流を送信する。受信機は、データ電流及び基準電流を共に受信して、データ電流と基準電流の大きさを比較して送信されたデータを判別する。
【０００６】
例えば、受信機はデータ電流が基準電流より大きいと、送信されたデータを論理「１」と、データ電流が基準電流より小さいと、送信されたデータを論理「０」と判別する。このように、データ電流と共に基準電流を送受信する電流モード送受信を擬似差動電流モード送受信とも言う。
【０００７】
特に、モバイルアプリケーション分野等で使用されるバスインターフェースは、消費電力を最小化しなければならない。これは、モバイルアプリケーション等の場合には、持続的に電力供給を受けることができないため、充電された電気エネルギを効果的に使用して動作時間を増加させなければならないためである。消費電力を減少させるために多様な方法が提示されており、その中の一つがアプリケーションの状態によって動作に不必要な部分をサスペンドモードに移行させることである。例えば、携帯電話のようなモバイルアプリケーション装置の場合、正常動作モードではアプリケーションの動作に必要な全ての部分が電力を消費しながら動作するが、サスペンドモードに移行すると、モード転換に必要な部分を除いた他の部分はこれ以上電力を消費しないように非活性化される。
【０００８】
又、アプリケーションが統合されるにつれて、ホストからクライアントにデータを伝送する正方向伝送モードのみならず、クライアントからホストにデータを伝送する逆方向伝送モードまで提供しなければならないアプリケーションが増加している。例えば、デジタルカメラ機能が含まれた携帯電話の場合に、ユーザインターフェースを含む携帯電話モジュール及びデジタルカメラモジュールの間で両方向にデータをやり取りする必要がある。
【発明の開示】
【発明が解決しようとする課題】
【０００９】
前記のような問題点を解決するための本発明の目的は、効果的なホスト及びクライアントの間の両方向データ伝送が可能な電流モードバスインターフェースシステムを提供することにある。
【００１０】
本発明の他の目的は、効果的にクライアントにデータを伝送し、クライアントからデータを受信することができる電流モードホストインターフェース装置を提供することにある。
【００１１】
本発明の更に他の目的は、効果的にホストから伝送されるデータを受信し、ホストにデータを伝送することができる電流モードクライアントインターフェース装置を提供することにある。
【００１２】
本発明の更に他の目的は、効果的に正常動作モード及びサスペンドモードの間のモードを転換することができる電流モードバスインターフェースシステムのモード転換方法を提供することにある。
【００１３】
本発明の更に他の目的は、効果的に電流変化を感知して電流モードバスインターフェースシステムのモード制御信号を発生させることができる電流モードバスインターフェースシステムのモード制御信号発生回路を提供することにある。
【課題を解決するための手段】
【００１４】
前記した本発明の目的を達成するための電流モードバスインターフェースシステムは、電流モードホストインターフェース装置及び電流モードクライアントインターフェース装置を含む。電流モードホストインターフェース装置は、基準電流及びクロック電流を送信する。電流モードホストインターフェース装置は、正方向伝送モード時にデータ電流を送信する。電流モードホストインターフェース装置は、逆方向伝送モード時に逆方向データ電流を受信して、逆方向データ電流を基準電流と比較して逆方向データ電圧を生成する。電流モードクライアントインターフェース装置は、基準電流及びクロック電流を受信して、基準電流及びクロック電流を比較してクロック電圧を生成する。電流モードクライアントインターフェース装置は、正方向伝送モード時にデータ電流を受信して、データ電流を受信された基準電流と比較してデータ電圧を生成する。電流モードクライアントインターフェース装置は、逆方向伝送モード時に逆方向データ電流をデータ電流が受信される導線を介して送信する。
【００１５】
本発明の他の目的を達成するための電流モードホストインターフェース装置は、基準電流を送信する基準電流送信部、一定の周期に変わるクロック電流を送信するクロック電流送信部、及び正方向伝送モード時にデータ電流を送信し、逆方向電流モード時にデータ電流を送信した導線を介して逆方向データ電流を受信し、基準電流及び逆方向データ電流を比較して逆方向データ電圧を生成するデータ送受信部を含む。
【００１６】
この際、電流モードホストインターフェース装置は、スリープリクエストによって基準電流、クロック電流、及びデータ電流を遮断して、サスペンドモードに移行することができる。この際、電流モードホストインターフェース装置は、サスペンドモードに移行した後にウェイクアップリクエストが発生するか、逆方向データ電流が所定のレベルで受信されることを感知して正常動作モードに転換することができる。この際、電流モードホストインターフェース装置は、サスペンドモードから正常動作モードに転換する時に、まず基準電流を伝送して、クライアントが正常動作モードに転換した後にクロック電流及びデータ電流を伝送することが好ましい。
【００１７】
本発明の更に他の目的を達成するための電流モードクライアントインターフェース装置は、基準電流及び一定の周期に変わるクロック電流を受信して、基準電流及びクロック電流を比較してクロック電圧を生成するクロック電圧生成部、及び正方向伝送モード時にデータ電流を受信して基準電流及びデータ電流を比較してデータ電圧を生成して、逆方向電流モード時にデータ電流を受信した導線を介して逆方向データ電流を送信するデータ送受信部を含む。
【００１８】
実施例によって、電流モードクライアントインターフェース装置は、基準電流を感知して電流モードクライアントインターフェース装置のモード制御信号を生成するモード制御信号発生回路を更に含むことができる。
【００１９】
本発明の更に他の目的を達成するための電流モードバスインターフェースシステムのモード転換方法は、ホストのスリープリクエストによってホストがサスペンドモードに移行してホストから伝送される送信電流を遮断する段階、クライアントが送信電流が遮断されることを感知してサスペンドモードに移行する段階、及びホスト又はクライアントのウェイクアップリクエストによってホスト及びクライアントがサスペンドモードから正常動作モードに転換する段階を含む。
【００２０】
この際、電流モードバスインターフェースシステムのモード転換方法は、正常動作モード及びサスペンドモードの間のモード転換を意味する。この際、正常動作モードは、正方向伝送モード及び逆方向伝送モードを含む。
【００２１】
この際、送信電流は、基準電流、クロック電流、及びデータ電流を含むことができる。この際、クライアントがサスペンドモードに移行する段階でクライアントが基準電流が遮断されることを感知することができる。
【００２２】
ホスト及びクライアントは、全部電流モードバスインターフェースシステムをサスペンドモードから正常動作モードに転換するために、ウェイクアップリクエストをすることができる。
【００２３】
本発明の更に他の目的を達成するための電流モードバスインターフェースシステムのモード制御信号発生回路は、受信電流を複製して、複製された受信電流を生成する受信電流複製部、受信電流より小さい大きさの比較電流を生成する比較電流生成部、複製された受信電流及び比較電流を比較して比較信号を生成する電流比較部、及び比較信号に含まれる雑音成分を除去して、電流モードバスインターフェースシステムのモード制御信号を生成する雑音除去部を含む。
【００２４】
この際、受信電流は、電流モードバスインターフェースシステムのホストから伝送される基準電流でも良い。この際、比較電流は、デジタル値として保存された基準電流を利用して生成することができる。
【００２５】
従って、ホスト及びクライアントの間のデータ伝送が要求される多様なアプリケーションに適用することができ、効果的に低電力アプリケーションを実現することができる。
【発明を実施するための最良の形態】
【００２６】
以下、本発明による好ましい実施例を添付図面を参照して詳細に説明する。
【００２７】
図１は、本発明の一実施例による電流モードバスインターフェースシステム１００のブロック図である。
【００２８】
図１を参照すると、本発明の一実施例による電流モードバスインターフェースシステム１００は、電流モードホストインターフェース装置１１０及び電流モードクライアントインターフェース装置１２０を含む。
【００２９】
電流モードホストインターフェース装置１１０は、基準電流（ＩＲＥＦ）及びクロック電流（ＩＣＬＫ）を送信し、正方向伝送モード時にデータ電流（ＩＤＡＴＡ）を送信し、逆方向伝送モード時に逆方向データ電流（ＩＲ＿ＤＡＴＡ）を受信し、逆方向データ電流（ＩＲ＿ＤＡＴＡ）を基準電流（ＩＲＥＦ）と比較して逆方向データ電圧を生成する。
【００３０】
電流モードクライアントインターフェース装置１２０は、基準電流（ＩＲＥＦ）及びクロック電流（ＩＣＬＫ）を受信し、基準電流（ＩＲＥＦ）及びクロック電流（ＩＣＬＫ）を比較してクロック電圧を生成し、正方向伝送モード時にデータ電流（ＩＤＡＴＡ）を受信し、データ電流（ＩＤＡＴＡ）を受信された基準電流（ＩＲＥＦ）と比較してデータ電圧を生成し、逆方向伝送モード時に逆方向データ電流（ＩＲ＿ＤＡＴＡ）をデータ電流（ＩＤＡＴＡ）が受信される導線を介して送信する。
【００３１】
例えば、クロック電流（ＩＣＬＫ）、データ電流（ＩＤＡＴＡ）、及び逆方向データ電流（ＩＲ＿ＤＡＴＡ）は、それぞれ約３００ｕＡレベルが論理「ハイ」に、約１００ｕＡレベルが論理「ロー」に設定された電流でも良い。
【００３２】
この際、基準電流（ＩＲＥＦ）は約２００ｕＡレベルの電流でも良い。逆方向データ電流（ＩＲ＿ＤＡＴＡ）は、データ電流（ＩＤＡＴＡ）の周波数より低い周波数に変えることができる。これは、ホストからクライアントに伝送されるデータ量に対してクライアントからホストに伝送されるデータの量が少ない場合が多いためである。
【００３３】
図２は、図１に図示された電流モードホストインターフェース装置１１０のブロック図である。
【００３４】
図２を参照すると、図１に図示された電流モードホストインターフェース装置１１０は、基準電流送信部２１０、クロック電流送信部２２０、及びデータ送受信部２３０を含む。
【００３５】
基準電流送信部２１０は基準電流（ＩＲＥＦ）を送信する。基準電流送信部２１０は、基準電流（ＩＲＥＦ）を生成する電流源２１１を含む。
【００３６】
電流源２１１によって生成される基準電流（ＩＲＥＦ）は、クライアントからホスト側に流れることもでき、ホストからクライアント側に流れることもできる。
【００３７】
クロック電流送信部２２０はクロック電流（ＩＣＬＫ）を送信する。クロック電流送信部２２０は、低電流源２２１、差電流源２２２、及びクロック制御スイッチ２２３を含む。
【００３８】
低電流源２２１は、基準電流（ＩＲＥＦ）の約１／２の大きさの低電流（ＩＬＯＷ）を提供する。差電流源２２２は、基準電流（ＩＲＥＦ）と実質的に同じ大きさの差電流（ＩＤＩＦＦ）を提供する。
【００３９】
クロック制御スイッチ２２３は、クロック制御信号（ＴＸＣＬＫ）によってクロック電流（ＩＣＬＫ）として低電流（ＩＬＯＷ）又は低電流（ＩＬＯＷ）に差電流（ＩＤＩＦＦ）を足した電流が送信されるようにする。
【００４０】
例えば、基準電流（ＩＲＥＦ）及び差電流（ＩＤＩＦＦ）は約２００ｕＡレベルの電流で、低電流（ＩＬＯＷ）は約１００ｕＡレベルの電流でも良い。この際、クロック電流（ＩＣＬＫ）は１００ｕＡレベル又は３００ｕＡレベルの電流でも良い。
【００４１】
データ送受信部２３０は、正方向伝送モード時にデータ電流（ＩＤＡＴＡ）を送信する。又、データ送受信部２３０は、逆方向電流モード時に逆方向データ電流（ＩＲ＿ＤＡＴＡ）を受信して、基準電流（ＩＲＥＦ）及び逆方向データ電流（ＩＲ＿ＤＡＴＡ）を比較して、逆方向データ電圧（ＴＸＲＤＡＴＡ）を生成する。
【００４２】
データ送受信部２３０は、スイッチ２３１、２３２、データ電流送信部、及びデータ電流受信部を含む。
【００４３】
スイッチ２３１は正方向伝送モード時には閉まり、逆方向伝送モード時に開く。
【００４４】
スイッチ２３２はスイッチ２３１と逆に動作する。即ち、スイッチ２３２は正方向伝送モード時には開き、逆方向伝送モード時には閉まる。
【００４５】
データ電流送信部は正方向伝送モード時にスイッチ２３１を介してデータ電流（ＩＤＡＴＡ）を送信する。
【００４６】
データ電流送信部は、低電流源２３３、差電流源２３４、及びデータ制御スイッチ２３５を含む。
【００４７】
低電流源２３３は、基準電流（ＩＲＥＦ）の約１／２の大きさの低電流（ＩＬＯＷ）を提供する。
【００４８】
差電流源２３４は、基準電流（ＩＲＥＦ）と実質的に同じ大きさの差電流（ＩＤＩＦＦ）を提供する。
【００４９】
データ制御スイッチ２３５は、データ制御信号（ＴＸＤＡＴＡ）によってデータ電流（ＩＤＡＴＡ）に低電流（ＩＬＯＷ）又は低電流（ＩＬＯＷ）に差電流（ＩＤＩＦＦ）を足した電流が送信されるようにする。
【００５０】
例えば、基準電流（ＩＲＥＦ）及び差電流（ＩＤＩＦＦ）は約２００ｕＡレベルの電流で、低電流（ＩＬＯＷ）は約１００ｕＡレベルの電流でも良い。この際、データ電流（ＩＤＡＴＡ）は１００ｕＡレベル又は３００ｕＡレベルの電流でも良い。
【００５１】
データ電流受信部は、逆方向伝送モード時にスイッチ２３２を介して逆方向データ電流（ＩＲ＿ＤＡＴＡ）を受信して、逆方向データ電圧（ＴＸＲＤＡＴＡ）を生成する。
【００５２】
データ電流受信部は、基準電流複製部２３６、データ電流複製部２３７、及び電流比較部２３８を含む。
【００５３】
基準電流複製部２３６は、基準電流（ＩＲＥＦ）を複製して、複製された基準電流を生成する。
【００５４】
データ電流複製部２３７は、逆方向データ電流（ＩＲ＿ＤＡＴＡ）を複製して、複製された逆方向データ電流を生成する。
【００５５】
基準電流複製部２３６及びデータ電流複製部２３７は、電流ミラー等によって実現することができる。
【００５６】
電流比較部２３８は、複製された基準電流及び複製された逆方向データ電流を比較して逆方向データ電圧（ＴＸＲＤＡＴＡ）を生成する。この際、電流比較部２３８は、当該技術分野に知られた多様な方法によって実現することができる。
【００５７】
図２に図示された電流モードホストインターフェース装置１１０は、スリープリクエストによって基準電流（ＩＲＥＦ）、クロック電流（ＩＣＬＫ）、及びデータ電流（ＩＤＡＴＡ）を遮断して、サスペンドモードに移行することができる。この際、電流モードホストインターフェース装置１１０は、サスペンドモードに移行した後にウェイクアップリクエストが発生するか、逆方向データ電流（ＩＲ＿ＤＡＴＡ）が所定のレベルに受信されることを感知して、正常動作モードに転換することができる。
【００５８】
電流モードホストインターフェース装置１１０は、サスペンドモードから正常動作モードに転換する時、まず基準電流（ＩＲＥＦ）を伝送して、クライアント側が正常動作モードに転換した後にクロック電流（ＩＣＬＫ）及びデータ電流（ＩＤＡＴＡ）を伝送することが好ましい。
【００５９】
図３は、図１に図示された電流モードクライアントインターフェース装置１２０のブロック図である。
【００６０】
図３を参照すると、電流モードクライアントインターフェース装置１２０は、クロック電圧生成部３１０及びデータ送受信部３２０を含む。この際、電流モードクライアントインターフェース装置１２０は、モード制御信号発生回路３３０を更に含むことができる。
【００６１】
クロック電圧生成部３１０は、基準電流（ＩＲＥＦ）及び一定の周期に変わるクロック電流（ＩＣＬＫ）を受信して、基準電流（ＩＲＥＦ）及びクロック電流（ＩＣＬＫ）を比較して、クロック電圧（ＲＸＣＬＫ）を生成する。
【００６２】
クロック電圧生成部３１０は、基準電流複製部３４０、クロック電流複製部３１１、及び電流比較部３１２を含む。
【００６３】
基準電流複製部３４０は、基準電流（ＩＲＥＦ）を複製して、複製された基準電流を生成する。
【００６４】
基準電流複製部３４０は、電流ミラー等によって実現することができ、説明の便宜のために、図３に図示されていないが、クロック電圧生成部３１０、データ送受信部３２０、及びモード制御信号発生回路３３０で使用される。
【００６５】
クロック電流複製部３１１は、クロック電流（ＩＣＬＫ）を複製して、複製されたクロック電流を生成する。この際、クロック電流複製部３１１は、電流ミラー等によって実現することができる。
【００６６】
電流比較部３１２は、複製された基準電流及び複製されたクロック電流を比較して、クロック電圧（ＲＸＣＬＫ）を生成する。
【００６７】
データ送受信部３２０は、正方向伝送モード時にデータ電流（ＩＤＡＴＡ）を受信して、基準電流（ＩＲＥＦ）及びデータ電流（ＩＤＡＴＡ）を比較して、データ電圧（ＲＸＤＡＴＡ）を生成する。
【００６８】
データ送受信部３２０は、逆方向伝送モード時にデータ電流（ＩＤＡＴＡ）を受信した導線を介して逆方向データ電流（ＩＲ＿ＤＡＴＡ）を送信する。
【００６９】
データ送受信部３２０は、スイッチ３２１、３２２、データ電流受信部、及びデータ電流送信部を含む。
【００７０】
スイッチ３２１は正方向伝送モードには閉まり、逆方向伝送モードには開く。
【００７１】
スイッチ３２２は、スイッチ３２１と逆に動作する。即ち、正方向伝送モードでは開き、逆方向伝送モードでは閉まる。
【００７２】
データ電流送信部は、逆方向伝送モード時にスイッチ３２２を介して逆方向データ電流（ＩＲ＿ＤＡＴＡ）を送信する。
【００７３】
データ電流送信部は、低電流源３２３、差電流源３２４、及びデータ制御スイッチ３２５を含む。
【００７４】
低電流源３２３は、基準電流（ＩＲＥＦ）の約１／２の大きさの低電流（ＩＬＯＷ）を提供する。
【００７５】
差電流源３２４は、基準電流（ＩＲＥＦ）と実質的に同じ大きさの差電流（ＩＤＩＦＦ）を提供する。
【００７６】
この際、低電流源３２３及び差電流源３２４は、デジタル値として保存された基準電流（ＩＲＥＦ）を利用して生成することができる。これは、クライアント側から送る電流量がホスト側で考慮している電流量と大きく変わることを防止するためである。温度変化、工程変化、及び供給電圧変化等によってホスト側で基準電流（IＲＥＦ）を利用して、クライアント側から送る逆方向データ電流（ＩＲ＿ＤＡＴＡ）に含まれたデータを判別できない場合が発生する虞がある。従って、低電流（ＩＬＯＷ）及び差電流（ＩＤＩＦＦ）の生成時に、基準電流（ＩＲＥＦ）を利用して、これを防止することができる。特に、基準電流（ＩＲＥＦ）をデジタル値で保存すると、不必要に電流が流れることを防止することができる。
【００７７】
データ制御スイッチ３２５は、逆方向データ制御信号（ＲＸＲＤＡＴＡ）によって逆方向データ電流（ＩＲ＿ＤＡＴＡ）に、低電流（ＩＬＯＷ）又は低電流（ＩＬＯＷ）に差電流（ＩＤＩＦＦ）を足した電流が送信されるようにする。
【００７８】
例えば、基準電流（ＩＲＥＦ）及び差電流（ＩＤＩＦＦ）は約２００ｕＡレベルの電流で、低電流（ＩＬＯＷ）は約１００ｕＡレベルの電流でも良い。この際、逆方向データ電流（ＩＲ＿ＤＡＴＡ）は１００ｕＡレベル又は３００ｕＡレベルの電流でも良い。
【００７９】
データ電流受信部は、正方向伝送モード時にスイッチ３２１を介してデータ電流（ＩＤＡＴＡ）を受信してデータ電圧（ＲＸＤＡＴＡ）を生成する。
【００８０】
データ電流受信部は、基準電流複製部３４０、データ電流複製部３２６、及び電流比較部３２７を含む。
【００８１】
基準電流複製部３４０は、基準電流（ＩＲＥＦ）を複製して、複製された基準電流を生成する。
【００８２】
データ電流複製部３２６はデータ電流（ＩＤＡＴＡ）を複製して、複製されたデータ電流を生成する。
【００８３】
基準電流複製部３４０及びデータ電流複製部３２６は、電流ミラー等によって実現することができる。
【００８４】
電流比較部３２７は、複製された基準電流及び複製されたデータ電流を比較して、データ電圧（ＲＸＤＡＴＡ）を生成する。この際、電流比較部３２７は、当該技術分野に知られた多様な方法によって実現することができる。
【００８５】
モード制御信号発生回路３３０は、基準電流（ＩＲＥＦ）が流れるか、遮断されるかの可否によってモード制御信号（ＲＸＰＤ）を生成する。例えば、モード制御信号発生回路３３０は、基準電流（ＩＲＥＦ）が流れる場合にモード制御信号（ＲＸＰＤ）が論理「ハイ」になるようにし、基準電流（ＩＲＥＦ）が遮断される場合にモード制御信号（ＲＸＰＤ）が論理「ロー」になるようにすることができる。
【００８６】
図３に図示されたモード制御信号発生回路は、クライアント側のみならず、ホスト側に含ませることもできる。この際、ホスト１１０は、クライアント１２０から伝送される電流を感知して、ホストの正常動作モード及びサスペンドモードを制御することができる。
【００８７】
図４は、図３に図示されたモード制御信号発生回路３３０のブロック図である。
【００８８】
図４を参照すると、モード制御信号発生回路３３０は、基準電流複製部（図示せず）、比較電流生成部４１０、電流比較部４２０、及び雑音除去部４３０を含む。
【００８９】
基準電流複製部（図示せず）は基準電流（ＩＲＥＦ）を複製して、複製された基準電流を生成する。基準電流複製部は、電流ミラー等によって実現することができ、図３に図示された基準電流複製部３４０に含ませることもできる。
【００９０】
比較電流生成部４１０は、基準電流（ＩＲＥＦ）より小さい大きさの比較電流（ＩＰＤＳ）を生成する。
【００９１】
この際、比較電流（ＩＰＤＳ）を小さくすると、正常動作モード時に消費される電流を小さくすることができるので、消費電力を減少させることができる。しかし、比較電流（ＩＰＤＳ）を非常に小さくすると、雑音特性が低下するので、比較電流（ＩＰＤＳ）を適切なレベルに決定しなければならない。この際、模擬実験等を通じて適切な比較電流（ＩＰＤＳ）のレベルを探すことができる。
【００９２】
比較電流生成部４１０は、単にダイオード連結されたＣＭＯＳトランジスタを利用して実現することもでき、電流ミラーを利用して実現することもできる。
【００９３】
比較電流（ＩＰＤＳ）は、基準電流（ＩＲＥＦ）を利用して生成することが好ましい。即ち、比較電流（ＩＰＤＳ）は、基準電流（ＩＲＥＦ）の一定比率に相応するものであり得る。例えば、比較電流（ＩＰＤＳ）は、基準電流（ＩＲＥＦ）の１０％に相応する電流でも良い。この際、比較電流生成部４１０は、デジタル値として保存された基準電流（ＩＲＥＦ）を利用して比較電流（ＩＰＤＳ）を生成することもできる。
【００９４】
電流比較部４２０は、複製された基準電流及び比較電流（ＩＰＤＳ）を比較して比較信号を生成する。電流比較部４２０は、当該技術分野に知られた多様な方法によって実現されることができる。例えば、比較信号は、基準電流（ＩＲＥＦ）が流れる場合に論理「ハイ」になり、基準電流（ＩＲＥＦ）が遮断される場合に論理「ロー」になる。
【００９５】
比較電流生成部４１０は、基準電流（ＩＲＥＦ）が流れる場合には比較電流（ＩＰＤＳ）を流し、基準電流（ＩＲＥＦ）が遮断される場合には比較電流（ＩＰＤＳ）が消費されないようにして、サスペンドモードでの消費電力を減少させることもできる。
【００９６】
雑音除去部４３０は、比較信号に含まれる雑音成分を除去して、電流モードクライアントインターフェース装置のモード制御信号（ＲＸＰＤ）を生成する。
【００９７】
電流モードバスインターフェースが用いられるオフチップ環境が多くの雑音を含むので、伝送される信号に多くの雑音が含まれる虞がある。雑音除去部４３０は、このような雑音を除去して、電流モードバスインターフェースシステム１００が誤動作することを防止することができる。
【００９８】
この際、モード制御信号（ＲＸＰＤ）は、電流モードクライアントインターフェース装置１２０の正常動作モード及びサスペンドモードを制御する信号でも良い。例えば、モード制御信号（ＲＸＰＤ
）が論理「ハイ」であれば、電流モードクライアントインターフェース装置１２０が正常動作モードで動作し、モード制御信号（ＲＸＰＤ）が論理「ロー」であれば、電流モードクライアントインターフェース装置１２０がサスペンドモードで動作することができる。
【００９９】
図４に図示されたモード制御信号発生回路３３０の動作を説明すると、ホスト側がサスペンドモードに転換して基準電流（ＩＲＥＦ）を遮断すると、電流比較部４２０が比較電流（ＩＰＤＳ）を利用して基準電流（ＩＲＥＦ）の遮断を感知する。電流比較部４２０が基準電流（ＩＲＥＦ）の遮断を感知して比較信号を生成すると、雑音除去部４３０が比較信号に含まれた雑音成分を除去してモード制御信号（ＲＸＰＤ）を生成する。
【０１００】
又、モード制御信号発生回路３３０は、ホスト側が更に正常動作モードに転換して基準電流（ＩＲＥＦ）を流すと、電流比較部４２０が比較電流（ＩＰＤＳ）を利用してこれを感知して、雑音除去部４３０を介してモード制御信号（ＲＸＰＤ）を生成する。
【０１０１】
雑音除去部４３０はシュミットトリガ回路４３１及び雑音消去回路４３２を含む。
【０１０２】
シュミットトリガ回路４３１は、比較信号に含まれた所定の電圧レベルより電圧レベルが小さい雑音成分を除去する。
【０１０３】
雑音消去回路４３２は、比較信号に含まれた短いパルス区間の雑音成分を除去する。
【０１０４】
図５は、本発明の一実施例によるシュミットトリガ回路４３１によって消去される雑音の例を示す波形図である。
【０１０５】
図５に示すように、所定の電圧レベルより小さい電圧レベルの雑音成分５１０は、図４に図示されたシュミットトリガ回路４３１によって除去される。
【０１０６】
図６は、本発明の一実施例による雑音消去回路４３２によって消去される雑音の例を示す波形図である。
【０１０７】
図６に示すように、短いパルス区間の雑音成分５２０は、図４に図示された雑音消去回路４３２によって除去される。
【０１０８】
図７は、図４に図示された雑音消去回路４３２の一例を示す回路図である。
【０１０９】
図７を参照すると、雑音消去回路４３２はＣＭＯＳインバータを含む。図７に図示された雑音消去回路４３２は、ＣＭＯＳインバータを構成するＰＭＯＳトランジスタ６１０の外型比（Ｗ／Ｌ：ａｓｐｅｃｔ  ｒａｔｉｏ）を調節して、パルス区間が短い雑音を除去することができる。
【０１１０】
図８は、図４に図示された雑音消去回路４３２の他の例を示す回路図である。
【０１１１】
図８を参照すると、雑音消去回路４３２は、遅延端７１０及び論理積ゲート７２０を含む。
【０１１２】
遅延端７１０は比較信号を遅延する。論理積ゲート７２０は、比較信号及び遅延端７１０によって遅延された比較信号を論理積してモード制御信号（ＲＸＰＤ）を生成する。
【０１１３】
従って、図８に図示された雑音消去回路４３２は遅延端７１０の遅延時間より短いパルス区間を有する雑音を除去することができる。
【０１１４】
図９は、本発明の一実施例によるモード転換方法のサスペンドモード移行を説明するためのタイミング図である。
【０１１５】
図９を参照すると、まずホスト１１０のスリープリクエストによってホストモード制御信号（ＴＸＰＤ）が論理「ハイ」から論理「ロー」に落ちることが分かる。
【０１１６】
ホストモード制御信号（ＴＸＰＤ）が論理「ロー」に落ちると、ホストは基準電流（ＩＲＥＦ）、クロック電流（ＩＣＬＫ）、及びデータ電流（ＩＤＡＴＡ）を全部遮断する。この際、時間区間（ｔｐｄ）は、ホストモード制御信号（ＴＸＰＤ）が論理「ハイ」から論理「ロー」に落ちる時点からホストが基準電流（ＩＲＥＦ）、クロック電流（ＩＣＬＫ）、及びデータ電流（ＩＤＡＴＡ）を全部遮断するまでの区間である。
【０１１７】
基準電流（ＩＲＥＦ）、クロック電流（ＩＣＬＫ）、及びデータ電流（ＩＤＡＴＡ）が遮断されると、クライアントではこれを感知してクライアントモード制御信号（ＲＸＰＤ）を論理「ハイ」から論理「ロー」に落とす。クライアントは、クライアントモード制御信号（ＲＸＰＤ）が論理「ロー」になると、サスペンドモードに移行して電流を消費しないことになる。
【０１１８】
即ち、クライアント１２０は、モード制御信号（ＲＸＰＤ）が論理「ロー」になると、各モジュールをパワーダウンさせて消費電力を防止する。クライアントは、基準電流（ＩＲＥＦ）、クロック電流（ＩＣＬＫ）、及びデータ電流（ＩＤＡＴＡ）が全部遮断されることを感知することもでき、基準電流（ＩＲＥＦ）、クロック電流（ＩＣＬＫ）、及びデータ電流（ＩＤＡＴＡ）のうち、いずれか一つが遮断されることを感知することもできる。例えば、クライアントは基準電流（ＩＲＥＦ）が遮断されることを感知して動作することができる。
【０１１９】
ホスト１１０はサスペンドモードに移行することになると、基準電流（ＩＲＥＦ）、クロック電流（ＩＣＬＫ）、及びデータ電流（ＩＤＡＴＡ）を生成するモジュールが全部電力を消費しないスリープモードに移行することになる。
【０１２０】
この際、クライアントからのウェイクアップ信号を感知するために、ホスト１１０の一部モジュールは電力を消費することができる。例えば、図２に図示された電流モードホストインターフェース装置１１０は、サスペンドモードでも所定レベルの逆方向データ電流を感知するために、データ電流受信部２３６、２３７、２３８を活性化することができる。
【０１２１】
例えば、ホストは、図４に図示されたモード制御信号発生回路３３０を具備し、サスペンドモードでも、モード制御信号発生回路３３０は、クライアント１２０からのウェイクアップ信号を感知するために活性化することもできる。
【０１２２】
クライアント１２０は、サスペンドモードに移行することになると、クロック電圧生成部３１０及びデータ送受信部３２０が全部電力を消費しないスリープモードに移行することになる。この際、ホスト１１０からのウェイクアップ信号を感知するために、クライアント１２０のモード制御信号発生回路３３０を活性化することもできる。
【０１２３】
図１０乃至図１２は、本発明の一実施例によるサスペンドモードで正常動作モードへの転換を説明するためのタイミング図である。
【０１２４】
図１０乃至図１２において、制御信号（ＴＸＰＤ、ＲＸＰＤ）のタイミング図は電圧レベルを示し、基準電流（ＩＲＥＦ）、クロック電流（ＩＣＬＫ）、データ電流（ＩＤＡＴＡ）、及び逆方向データ電流（ＩＲ＿ＤＡＴＡ）のタイミング図は電流レベルを示す。
【０１２５】
図１０は、ホスト１１０のウェイクアップリクエストによる電流モードバスインターフェースシステム１００の正常動作モードへの転換を説明するためのタイミング図である。
【０１２６】
図１０を参照すると、まずホスト１１０のウェイクアップリクエストによってホストモード制御信号（ＴＸＰＤ）が論理「ロー」から論理「ハイ」に変わる。
【０１２７】
ホストモード制御信号（ＴＸＰＤ）が論理「ロー」から論理「ハイ」に変わると、ホスト１１０は遮断されていた基準電流（ＩＲＥＦ）を流す。
【０１２８】
基準電流（ＩＲＥＦ）が流れ始めると、クライアント１２０は基準電流（ＩＲＥＦ）を感知してクライアントモード制御信号（ＲＸＰＤ）を論理「ロー」から論理「ハイ」に変化させる。
【０１２９】
クライアントモード制御信号（ＲＸＰＤ）が論理「ロー」から論理「ハイ」に変わると、クライアント１２０はスリープモードに移行していた内部モジュールを活性化させて正常動作モードに転換される。
【０１３０】
ホスト１１０は、クライアント１２０が正常動作モードに転換され送信される電流を受信する準備がされた後に、クロック電流（ＩＣＬＫ）及びデータ電流（ＩＤＡＴＡ）を送信する。即ち、図１０に図示された時間区間（ｔｔｘａ）内にクライアントモード制御信号（ＲＸＰＤ）が論理「ロー」から論理「ハイ」に遷移しなければならない。
【０１３１】
この際、時間区間（ｔｔｘａ）はホスト１１０が遮断された基準電流（ＩＲＥＦ）を更に流す時点からクロック電流（ＩＣＬＫ）及びデータ電流（ＩＤＡＴＡ）を更に流すまでの区間である。
【０１３２】
ホスト１１０がクロック電流（ＩＣＬＫ）及びデータ電流（ＩＤＡＴＡ）を更に流す時点から時間（ｔｒｘｓ）が経過した後にクロック電流（ＩＣＬＫ）及びデータ電流（ＩＤＡＴＡ）が変化し始める。
【０１３３】
図１１は、クライアント１２０のウェイクアップリクエストによる電流モードバスインターフェースシステム１００の正常動作モードへの転換を説明するためのタイミング図である。
【０１３４】
図１１を参照すると、まずクライアントのウェイクアップリクエストによってクライアントモード制御信号（ＲＸＰＤ）が論理「ロー」から論理「ハイ」に変わる。
【０１３５】
クライアントモード制御信号（ＲＸＰＤ）が論理「ロー」から論理「ハイ」に変わると、クライアントは逆方向データ電流（ＩＲ＿ＤＡＴＡ）を流す。この際、逆方向データ電流（ＩＲ＿ＤＡＴＡ）は論理「ロー」に相応するレベルでも良く、論理「ハイ」に相応するレベルでも良い。但し、逆方向データ電流（ＩＲ＿ＤＡＴＡ）はホスト１１０側で基準電流（ＩＲＥＦ）を利用して感知することができるレベルであることが好ましい。
【０１３６】
逆方向データ電流（ＩＲ＿ＤＡＴＡ）が流れると、ホスト１１０はこれを感知して、ホストモード制御信号（ＴＸＰＤ）を論理「ロー」から論理「ハイ」に変化させる。この際、ホストは図４に図示されたようなモード制御信号発生回路３３０を利用して逆方向データ電流（ＩＲ＿ＤＡＴＡ）を感知することもできる。
【０１３７】
ホストモード制御信号（ＴＸＰＤ）が論理「ロー」から論理「ハイ」に変わると、ホスト１１０は遮断されていた基準電流（ＩＲＥＦ）を流す。
【０１３８】
基準電流（ＩＲＥＦ）が流れ始めると、クライアント１２０は基準電流（ＩＲＥＦ）を感知してスリープモードに移行していた内部モジュールを活性化させて正常動作モードに転換する。この際、クライアント１２０は、逆方向データ電流（ＩＲ＿ＤＡＴＡ）の送信を中止して、データ送受信部３２０を正方向伝送モードに転換させる。
【０１３９】
ホスト１１０は、クライアント１２０が正方向伝送モードに転換され送信される電流を受信する準備がされた後にクロック電流（ＩＣＬＫ）及びデータ電流（ＩＤＡＴＡ）を送信する。即ち、図１１に図示された時間区間（ｔｔｘａ）内にクライアントが逆方向伝送モードから正方向伝送モードに転換しなければならない。
【０１４０】
この際、時間区間（ｔｔｘａ）は、ホストが遮断された基準電流（ＩＲＥＦ）を更に流す時点からクロック電流（ＩＣＬＫ）及びデータ電流（ＩＤＡＴＡ）を更に流すまでの区間である。又、時間区間（ｔｒｘｄ）はホストが遮断された基準電流（ＩＲＥＦ）を更に流す時点からクライアントが逆方向データ電流（ＩＲ＿ＤＡＴＡ）を遮断するまでの区間である。
【０１４１】
図１２は、ホストとクライアントで殆ど同時にウェイクアップリクエストが発生した場合の電流モードバスインターフェースシステムの正常動作モードへの転換を説明するためのタイミング図である。
【０１４２】
図１２を参照すると、クライアントのウェイクアップリクエストによってクライアントモード制御信号（ＲＸＰＤ）が論理「ロー」から論理「ハイ」に変わり、殆ど同時にホストのウェイクアップリクエストによってホストモード制御信号（ＴＸＰＤ）が論理「ロー」から論理「ハイ」に変わる。
【０１４３】
ホストモード制御信号（ＴＸＰＤ）が論理「ロー」から論理「ハイ」に変わったため、ホストは遮断されていた基準電流（ＩＲＥＦ）を流し、クライアントモード制御信号（ＲＸＰＤ）が論理「ロー」から論理「ハイ」に変わったため、クライアントは逆方向データ電流（ＩＲ＿ＤＡＴＡ）を流す。
【０１４４】
ホスト１１０は、基準電流（ＩＲＥＦ）を流した後に逆方向データ電流（ＩＲ＿ＤＡＴＡ）を感知することになるが、既に基準電流（ＩＲＥＦ）を流しているので、更に正方向伝送モードに転換する。
【０１４５】
クライアント１２０は逆方向データ電流（ＩＲ＿ＤＡＴＡ）を流した後に基準電流（ＩＲＥＦ）を感知することになって、スリープモードに移行していた内部モジュールを活性化させて、正常動作モードに転換する。この際、クライアント１２０は逆方向データ電流（ＩＲ＿ＤＡＴＡ）の送信を中止し、データ送受信部３２０を正方向伝送モードに転換させる。
【０１４６】
ホスト１１０は、クライアントが正方向伝送モードに転換され送信される電流を受信する準備がされた後に、クロック電流（ＩＣＬＫ）及びデータ電流（ＩＤＡＴＡ）を送信する。即ち、図１２に図示された時間区間（ｔｔｘａ）内にクライアントが逆方向伝送モードから正方向伝送モードに転換しなければならない。この際、時間区間（ｔｔｘａ）はホストが遮断された基準電流（ＩＲＥＦ）を更に流す時点からクロック電流（ＩＣＬＫ）及びデータ電流（ＩＤＡＴＡ）を更に流すまでの区間である。
【０１４７】
又、時間区間（ｔｒｘｄ）は、ホストが遮断された基準電流（ＩＲＥＦ）を更に流す時点からクライアントが逆方向データ電流（ＩＲ＿ＤＡＴＡ）を遮断するまでの区間である。時間区間（ｔａ）はクライアントが逆方向データ電流（ＩＲ＿ＤＡＴＡ）を遮断する時点からホストがデータ電流（ＩＤＡＴＡ）を更に流すまでの区間である。この際、時間区間（ｔｔｘａ）が時間区間（ｔｒｘｄ）及び時間区間（ｔａ）の和より大きいことが好ましい。
【産業上の利用可能性】
【０１４８】
前記のような本発明の電流モードバスインターフェースシステム１００は、逆方向伝送モードを提供して、多様なアプリケーションを効果的に実現することができる。
【０１４９】
又、本発明の電流モードバスインターフェースシステム１００のモード転換方法及びモード転換回路は、ホスト又はクライアントのウェイクアップリクエストによって効果的にサスペンドモードから正常動作モードに転換することができる。
【０１５０】
従って、ホスト及びクライアントの間の両方向通信を要する多様なアプリケーションの要求に適合することができ、モバイルアプリケーション等の低電力アプリケーションに効果的に使用されることができる。
【０１５１】
以上、本発明の実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【０１５２】
【図１】本発明の一実施例による電流モードバスインターフェースシステムのブロック図である。
【図２】図１に図示された電流モードホストインターフェース装置のブロック図である。
【図３】図１に図示された電流モードクライアントインターフェース装置のブロック図である。
【図４】図３に図示されたモード制御信号発生回路のブロック図である。
【図５】本発明の一実施例による雑音の例を示す波形図である。
【図６】本発明の一実施例による雑音の例を示す波形図である。
【図７】図４に図示された雑音消去回路の一例を示す回路図である。
【図８】図４に図示された雑音消去回路の他の例を示す回路図である。
【図９】本発明の一実施例によるモード転換方法のサスペンドモード移行を説明するためのタイミング図である。
【図１０】本発明の一実施例によるサスペンドモードから正常動作モードへの転換を説明するためのタイミング図である。
【図１１】本発明の一実施例によるサスペンドモードから正常動作モードへの転換を説明するためのタイミング図である。
【図１２】本発明の一実施例によるサスペンドモードから正常動作モードへの転換を説明するためのタイミング図である。
【符号の説明】
【０１５３】
１１０    電流モードホストインターフェース装置
１２０    電流モードクライアントインターフェース装置
【図１】
2006254422.tif 000003
【図２】
2006254422.tif 000004
【図３】
2006254422.tif 000005
【図４】
2006254422.tif 000006
【図５】
2006254422.tif 000007
【図６】
2006254422.tif 000008
【図７】
2006254422.tif 000009
【図８】
2006254422.tif 000010
【図９】
2006254422.tif 000011
【図１０】
2006254422.tif 000012
【図１１】
2006254422.tif 000013
【図１２】
2006254422.tif 000014